【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
会員統合積立型ポイントを提供するオンライン広告管理サーバーのウェブページに接続し、該ウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供するための第１〜第Ｎ売主サーバーと、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって支払われたポイントを会員が共同で積み立てた会員統合積立型ポイントに累積積立させ、顧客の商品購買信号を受信して該当顧客の購買代金に前記会員統合積立型ポイントを通じた割引処理を行い、積立型ポイントデータを更新させるように処理し、売主よりアップロードした商品を販売代行するオンライン広告管理サーバーと、から構成され、
顧客の広告閲覧及び商品情報閲覧によって付加された積立金を共同で累積させて購買顧客に割引金額として提供するようにしたことを特徴とする、オンライン広告システム。
【請求項２】
前記オンライン広告管理サーバーには、前記第１〜第Ｎ広告主端末機及び第１〜第Ｎ売主サーバー、ユーザー端末機から前記オンライン広告管理サーバーが接続可能にＵＲＬをルーティングするウェブサーバーが提供され、前記会員統合積立型ポイント更新情報及び顧客購買信号、顧客情報、売主情報、広告主情報を格納するための第１及び第２データベースがさらに構成されたことを特徴とする、請求項１に記載のオンライン広告システム。
【請求項３】
前記オンライン広告管理サーバーは会員のログイン情報に基づいて該当顧客の年齢、性別、地域別に差別化された広告情報を提供するように設定されたことを特徴とする、請求項１に記載のオンライン広告システム。
【請求項４】
前記オンライン広告管理サーバーは、会員のログイン情報を通じて該当会員を把握し、同一会員に同一広告に対する閲覧代価として積立金が支払われないように設定されたことを特徴とする、請求項１に記載のオンライン広告システム。
【請求項５】
前記オンライン広告管理サーバーは、そのウェブサイトメイン画面上端に広告閲覧及び商品情報閲覧を通じて会員が共同で積み立てた会員統合積立型ポイントの累積情報が出力されるように構成されたことを特徴とする、請求項１に記載のオンライン広告システム。
【請求項６】
前記オンライン広告管理サーバーは、
その内部に第１〜第Ｎ広告主端末機及び第１〜第Ｎ売主サーバーから広告情報及び商品情報を受けてウェブページに掲載し、ユーザー端末機から転送される広告情報及び商品情報閲覧信号を受信するためにモデムなどが備えられた通信モジュールと、
第１〜第Ｎ広告主端末機から提供された広告情報をアップロードして掲載し、該当広告情報に対する顧客の接続状態を確認して管理する広告情報管理部と、
第１〜第Ｎ売主サーバーから提供された商品情報をアップロードして掲載し、該当商品情報に対する顧客の接続状態を確認して管理する商品情報管理部と、
会員別ターゲット広告が可能なように会員の性別、年齢、地域などの会員情報を管理する会員情報管理部と、
前記広告情報管理部及び商品情報管理部と連動して広告情報及び商品情報に対する会員別閲覧情報を管理する情報閲覧管理部と、
ユーザー端末機から転送される広告情報及び商品情報閲覧信号を受信して会員統合積立金情報を更新し、あるユーザー端末機から転送される商品購買信号によって該当会員統合積立金を支払処理して該当統合積立金を焼結するように処理する会員統合積立金管理プロセッサと、
前記会員統合積立金管理プロセッサと連動し、あるユーザー端末機から転送される商品購買信号によって既に積み立てられた会員統合積立金を通じて購買割引決済処理を行う決済処理プロセッサと、
第１〜第Ｎ広告主端末機から提供された広告情報を格納する広告情報ＤＢと、
前記第１〜第Ｎ売主サーバーから提供された商品情報を格納する商品情報ＤＢと、
会員別ターゲット広告が可能なように会員の性別、年齢、地域などの会員情報を格納する会員情報ＤＢと、
前記広告情報管理部及び商品情報管理部と連動して広告情報及び商品情報に対する会員別閲覧情報を格納する情報閲覧ＤＢと、
ユーザー端末機から転送される広告情報及び商品情報閲覧信号を受信して会員統合積立金情報を更新して格納し、ある顧客の商品購買信号によって支払われた該当会員統合積立金を更新して格納する積立金変動情報ＤＢと、
前記会員統合積立金管理プロセッサと連動し、あるユーザー端末機から転送される商品購買信号によって既に積み立てられた会員統合積立金を通じて購買割引された情報を格納する商品購買割引情報ＤＢと、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって前記会員統合積立金管理プロセッサを駆動させて会員統合積立型ポイントを累積積立させ、顧客の商品購買信号を受信して前記決済処理プロセッサを通じて該当顧客の購買代金に前記会員統合積立型ポイントを通じた割引処理を行い、前記会員統合積立金管理プロセッサを駆動させて積立型ポイントデータを更新させるように処理することによって売主よりアップロードした商品の販売代行処理を行い、広告閲覧を活性化させるように制御する制御部と、
からなることを特徴とする、請求項１に記載のオンライン広告システム。
【請求項７】
多数の会員が広告情報及び商品情報を選択することによって会員統合積立型ポイントを提供し、これをある特定顧客の商品購買信号発生時まで統合累積処理し、購買信号発生時に前記会員統合積立型ポイントを割引ポイントとして支払処理するためのオンライン広告管理サーバーに対して広告主端末機及び売主サーバーが広告情報及び商品情報をアップロードして登録する過程と、
前記オンライン広告管理サーバーが前記ユーザー端末機からＩＤ及びパスワード情報を受けて該当情報を認証処理し、顧客のログイン処理を行う過程と、
前記オンライン広告管理サーバーが前記ユーザー端末機から特定広告または商品情報に対する閲覧信号が印加されるか否か判断する過程と、
前記オンライン広告管理サーバーが該当顧客の閲覧行為によって所定のポイントを提供し、そのポイントを会員統合積立型ポイントとして合算処理する過程と、
前記オンライン広告管理サーバーが、あるユーザー端末機から特定商品に対する購買信号が印加されるか否か判断する過程と、
前記オンライン広告管理サーバーが顧客の商品購買信号によって該当時点まで累積された前記会員統合積立型ポイントを該当購買商品の割引ポイントとして提供処理する過程と、
前記オンライン広告管理サーバーが前記会員統合積立型ポイントを最初のゼロ状態（０）に更新処理する過程と、
からなることを特徴とする、オンライン広告方法。
【請求項８】
前記オンライン広告管理サーバーが前記ユーザー端末機から特定広告または商品情報に対する閲覧信号が印加される過程には、
あらかじめ格納された該当広告または商品情報を閲覧した会員情報を抽出し、比較することによって該当顧客が以前に同じ広告または商品情報を閲覧したことがあるか否か判断する過程と、
前記オンライン広告管理サーバーの判断結果、該当顧客が以前に該当広告及び商品情報を閲覧したことがある場合には、前記オンライン広告管理サーバーは、該当顧客による会員統合積立型ポイントの累積処理を行なわない過程と、
がさらに含まれたことを特徴とする、請求項７に記載のオンライン広告方法。
【請求項９】
会員統合積立型ポイントを提供するオンライン広告管理サーバーのウェブページに接続し、そのウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供するための第１〜第Ｎ売主サーバーと、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって支払われたポイントを、顧客の選択によって掲示された商品のカテゴリ別に会員が共同で積み立てた会員統合積立型ポイントに累積積立させ、ある顧客の商品購買信号を受信して該当購買商品のカテゴリに付加された前記会員統合積立型ポイントを通じた割引処理を行い、該当カテゴリ別積立型ポイントデータを更新させるように処理し、売主よりアップロードした商品を販売代行するオンライン広告管理サーバーと、から構成され、
顧客の広告閲覧及び商品情報閲覧によって付加された積立金を共同で累積させて購買顧客に割引金額として提供するようにしたことを特徴とする、オンライン広告システム。
【請求項１０】
オンライン広告管理サーバーがユーザー端末機からＩＤ及びパスワード情報を受信し、該当情報を認証処理して顧客のログイン処理を行う過程と、
前記オンライン広告管理サーバーが前記ユーザー端末機から特定広告または商品情報に対する閲覧信号が印加されるか否か判断する過程と、
閲覧信号が印加された場合には、前記オンライン広告管理サーバーがデータベースに格納された多数商品のカテゴリ情報を抽出する過程と、
前記オンライン広告管理サーバーが該当ユーザー端末機に該当カテゴリのうちいずれかのカテゴリを選択要請する信号を転送する過程と、
前記オンライン広告管理サーバーが前記ユーザー端末機から転送されたカテゴリ選択信号によって該当会員のポイントを該当カテゴリに該当する前記会員統合積立型ポイントを累積更新する過程と、
前記オンライン広告管理サーバーが、あるユーザー端末機から特定商品に対する購買信号が印加されるか否か判断する過程と、
該当顧客が購買選択した商品のカテゴリ情報及び該当カテゴリ別に累積された会員統合積立型ポイント情報を抽出し、その会員統合積立型ポイントを該当購買商品の割引ポイントとして提供処理する過程と、
前記オンライン広告管理サーバーが該当カテゴリ別前記会員統合積立型ポイントを最初のゼロ状態（０）に更新処理する過程と、
からなることを特徴とする、オンライン広告方法。
【請求項１１】
会員統合積立型ポイントを提供するオンライン広告管理サーバーのウェブページに接続し、そのウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供するための第１〜第Ｎ売主サーバーと、
前記第１〜第Ｎ広告主端末機及び第１〜第Ｎ売主サーバーから広告情報及び商品情報を受けてウェブページに掲載し、各商品を多数の商品価格帯別に分類し、ユーザー端末機から転送される広告情報及び商品情報閲覧信号によって支払われたポイントを、顧客の選択による商品価格帯別会員統合積立型ポイントに累積積立させ、ある顧客の商品購買信号を受信して該当購買商品の価格帯に該当する前記会員統合積立型ポイントを通じた割引処理を行い、該当商品価格帯の積立型ポイントデータを更新させるように処理し、売主よりアップロードした商品を販売代行するオンライン広告管理サーバーと、から構成され、
顧客の広告閲覧及び商品情報閲覧によって付加された積立金を共同で累積させて購買顧客に割引金額として提供するようにしたことを特徴とする、オンライン広告システム。
【請求項１２】
オンライン広告管理サーバーがユーザー端末機からＩＤ及びパスワード情報を受信し、該当情報を認証処理して顧客のログイン処理を行う過程と、
前記オンライン広告管理サーバーが前記ユーザー端末機から特定広告または商品情報に対する閲覧信号が印加されるか否か判断する過程と、
閲覧信号が印加された場合には、前記オンライン広告管理サーバーがデータベースに格納された多数商品の価格帯別分類情報を抽出する過程と、
前記オンライン広告管理サーバーが該当ユーザー端末機に該当価格帯情報のうちいずれかの価格帯を選択要請する信号を転送する過程と、
前記オンライン広告管理サーバーが前記ユーザー端末機から転送された価格帯選択信号によって該当会員のポイントを該当価格帯に該当する前記会員統合積立型ポイントを累積更新する過程と、
前記オンライン広告管理サーバーが、あるユーザー端末機から特定商品に対する購買信号が印加されるか否か判断する過程と、
該当顧客が購買選択した商品のカテゴリ情報及び該当購買商品の価格帯に該当する会員統合積立型ポイント情報を抽出し、その会員統合積立型ポイントを該当購買商品の割引ポイントとして提供処理する過程と、
前記オンライン広告管理サーバーが該当価格帯の前記会員統合積立型ポイントを最初のゼロ状態（０）に更新処理する過程と、
からなることを特徴とする、オンライン広告方法。
【請求項１３】
オンライン広告管理サーバーが広告主端末機から広告閲覧時提供する積立金情報を受けて設定する過程と、
前記オンライン広告管理サーバーが、ある顧客の広告閲覧信号がユーザー端末機から転送されるか否か判断する過程と、
前記オンライン広告管理サーバーが該当広告のポイント設定情報を抽出し、該当広告の支払残余ポイントが存在するか否か判断する過程と、
もし、該当広告の支払残余ポイントが存在しない場合には、ウェブページに掲示された広告情報に広告閲覧時ポイント支払不可情報を掲示する過程と、
ポイント支払不可状況では前記オンライン広告管理サーバーが該当広告主端末機にポイント消尽情報を転送する過程と、
該当広告の支払残余ポイントが存在する場合には、前記オンライン広告管理サーバーがあらかじめ累積された前記会員統合積立型ポイントに与えられたポイントを累積更新する過程と、
前記オンライン広告管理サーバーが、あるユーザー端末機から特定商品に対する購買信号が印加されるか否か判断する過程と、
前記オンライン広告管理サーバーが顧客の商品購買信号によって該当時点まで累積された前記会員統合積立型ポイントを該当購買商品の割引ポイントとして提供処理する過程と、
前記オンライン広告管理サーバーが前記会員統合積立型ポイントを最初のゼロ状態（０）に更新処理する過程と、
からなることを特徴とする、オンライン広告方法。
【請求項１４】
前記オンライン広告管理サーバーが広告主端末機から広告閲覧時に提供する積立金情報を受けて設定する過程は、
広告閲覧時に提供する全体ポイント金額をあらかじめ設定し、
広告１回閲覧時に提供するポイント金額情報を設定することであることを特徴とする、請求項１３に記載のオンライン広告方法。
【請求項１５】
前記オンライン広告管理サーバーが各広告別にあらかじめ設定された支払ポイントを全て消尽した広告に対しては、そのウェブサイトに掲示された該当広告を他の広告よりも低い順位で画面に出力されるように自動設定することが可能であることを特徴とする、請求項１３に記載のオンライン広告方法。
【請求項１６】
前記オンライン広告管理サーバーが各広告別にあらかじめ設定された支払ポイントを全て消尽した広告に対しては、そのウェブサイトに掲示された該当広告を自動で削除処理するように設定することを特徴とする、請求項１３に記載のオンライン広告方法。